(57)【特許請求の範囲】
【請求項１】
精神病院、刑務所又は警察の留置場のトイレ個室の壁を貫通して設けた貫通穴に挿入されて設置される収納ケースよりなり、
該収納ケースのトイレ内壁側の前面には、透明体からなる、前記トイレの壁外から前記トイレ壁内を観察できる観察窓が固定して設けられ、
前記収納ケースの背面には、内部に連通した開口部と、該開口部の開閉扉とが設けられ、
前記収納ケースは、前記開閉扉を開けることにより、前記収納ケース内に物を収納できると共に、前記観察窓を通じて、前記トイレの壁外から前記トイレ壁内を観察できることを特徴とする観察窓兼用ディスプレイボックス。
【請求項２】
精神病院、刑務所又は警察の留置場のトイレ個室の壁を貫通して設けた貫通孔に挿入されて設置される手洗い装置ケースと、該手洗い装置ケース内に設けた観察窓兼用ディスプレイボックスとよりなり、
前記手洗い装置ケースは、該手洗い装置ケースの前面板に開口を形成して該開口の箇所の該手洗い装置ケース内に手洗い器及びトイレットペーパーホルダーを設けると共に、該手洗い装置ケース内に配管設備部が設けられ、該手洗い装置のケース内の残余のスペースに前記観察窓兼用ディスプレイボックスが設けられ、
前記観察窓兼用ディスプレイボックスは、前記トイレ個室の壁に貫通して、前記手洗い装置に設けられる収納ケースよりなり、
該収納ケースのトイレ内壁側の前面には、透明体からなる、前記トイレの壁外から前記トイレ壁内を観察できる観察窓が固定して設けられ、
前記収納ケースの背面には、内部に連通した開口部と、該開口部の開閉扉とが設けられ、
前記収納ケースは、前記開閉扉を開けることにより、前記収納ケース内に物を収納できると共に、前記観察窓を通じて、前記トイレの壁外から前記トイレ壁内を観察できることを特徴とする観察窓兼用ディスプレイボックスを有する手洗い装置。
【発明の詳細な説明】
【技術分野】
【０００１】
本発明は、精神病院、刑務所又は警察の留置場等の隔離室トイレに好適な観察窓兼用ディスプレイボックス及び該ボックスを有する手洗い装置に関する。
【背景技術】
【０００２】
従来、精神病院、刑務所又は警察の留置場等のトイレの内壁に埋め込んで設置された手洗い装置がある。
【０００３】
かかる手洗い装置ａは、例えば、図３に示すように、例えば、ステンレス製の平箱状のケースｂと、該ケースｂの前面板ｂ１に開口した箇所の内側に設けた、ステンレス製の手洗い器ｃ及びトイレットペーパーホルダー部ｄと、該ケースｂ内に設けられた、水道源から便器や前記手洗い器ｃへ接続する配管や、フラッシュバルブや電磁バルブや電動バルブ等のバルブなどの配管設備部ｅとからなる。
【０００４】
そして、該手洗い装置ａは、該ケースｂの厚みを、埋め込まれるトイレの壁の厚さと略同じにし、該ケースｂの前面板ｂ１と前記トイレの内壁とが同じ面になるように、前記トイレ壁面内に設置すると共に、前記手洗い器ｃやトイレットペーパーホルダー部ｄの開口部の縁部に丸味を設けられている。
【０００５】
このように前記手洗い装置ａが形成されることより、該手洗い装置ａには、水道管や排水管などの前記トイレ壁から突出する部分がなく、かつ、開口部には丸味が設けられているので、安全性が高く、破壊防止となっている。
【０００６】
また、前記手洗い装置ａは、手洗い器ｂと、該手洗い器ｂと便器に連なる主管路や補助管路などの配管設備部ｅをコンパクトに平箱状のケースｂに収めてユニット化されていると共に、前記ケースｂの厚みをトイレの壁の厚みと略同じとし、前記トイレの外壁からケース内を点検できるようにしたことにより、前記手洗い装置のトイレの壁への設置作業と修理などの管理が容易になる。
【０００７】
このような手洗い装置としては、例えば、特許文献１がある。
【先行技術文献】
【特許文献】
【０００８】
【特許文献１】特開２００２−３４８０６号公報
【発明の概要】
【発明が解決しようとする課題】
【０００９】
前記手洗い装置ａを埋め込むためのトイレの壁の開口穴は、矩形状であれば穴施工が容易であるため、前記手洗い装置の形状も、平箱状であるのが好ましい。そして、手洗い装置ａを平箱状とした場合、ケースｂ内の手洗い器ｃやトイレットペーパーホルダー部ｄや配管設備部ｅの配置を工夫したり、これらをよりコンパクト化したりすることとにより、空間部が多くなる。
【００１０】
また、精神病院等の隔離室を利用する患者等の状態や、排便の有無、便器の洗浄の有無、トイレ内の状況、空調、調光等の操作を隔離室外からできれば好ましい。
【００１１】
また、患者等から、私物の保管確認の要求が多い。
【００１２】
そこで、本発明は、隔離室外から患者の状態や便器の状態を確認できると共に、患者の私物の確認の要求に応じることができる、観察窓兼用ディスプレイボックスを提供することを目的とする。また、ユニット化された手洗い装置の空間部を利用して、観察窓兼用ディスプレイボックスを設けた手洗い装置を提供することを目的とする。
【課題を解決するための手段】
【００１３】
前記の目的を達成すべく、本発明の観察窓兼用ディスプレイボックスは、精神病院、刑務所又は警察の留置場のトイレ個室の壁を貫通して設けた貫通穴に挿入されて設置される収納ケースよりなり、該収納ケースのトイレ内壁側の前面には、透明体からなる、前記トイレの壁外から前記トイレ壁内を観察できる観察窓が固定して設けられ、前記収納ケースの背面には、内部に連通した開口部と、該開口部の開閉扉とが設けられ、前記収納ケースは、前記開閉扉を開けることにより、前記収納ケース内に物を収納できると共に、前記観察窓を通じて、前記トイレの壁外から前記トイレ壁内を観察できることを特徴とする。
【００１４】
また、本発明の観察窓兼用ディスプレイボックスを有する手洗い装置は、精神病院、刑務所又は警察の留置場のトイレ個室の壁を貫通して設けた貫通孔に挿入されて設置される手洗い装置ケースと、該手洗い装置ケース内に設けた観察窓兼用ディスプレイボックスとよりなり、前記手洗い装置ケースは、該手洗い装置ケースの前面板に開口を形成して該開口の箇所の該手洗い装置ケース内に手洗い器及びトイレットペーパーホルダーを設けると共に、該手洗い装置ケース内に配管設備部が設けられ、該手洗い装置のケース内の残余のスペースに前記観察窓兼用ディスプレイボックスが設けられ、前記観察窓兼用ディスプレイボックスは、前記トイレ個室の壁に貫通して、前記手洗い装置に設けられる収納ケースよりなり、該収納ケースのトイレ内壁側の前面には、透明体からなる、前記トイレの壁外から前記トイレ壁内を観察できる観察窓が固定して設けられ、前記収納ケースの背面には、内部に連通した開口部と、該開口部の開閉扉とが設けられ、前記収納ケースは、前記開閉扉を開けることにより、前記収納ケース内に物を収納できると共に、前記観察窓を通じて、前記トイレの壁外から前記トイレ壁内を観察できることを特徴とする。
【発明の効果】
【００１５】
本発明によれば、トイレ内をトイレ外から観察できると共に、患者等の私物を、患者等が見えるように保管することができるようになる。
【００１６】
また、ユニット化された手洗い装置に設けることで、トイレの設置作業と修理などの管理が容易になる。
【図面の簡単な説明】
【００１７】
【図１】本発明の観察窓兼用ディスプレイボックスを有する手洗い装置のトイレの壁内からみた斜視図である。
【図２】本発明の観察窓兼用ディスプレイボックスを有する手洗い装置のトイレの壁外からみた斜視図である。
【図３】従来の手洗い装置の斜視図である。
【発明を実施するための形態】
【００１８】
本発明を実施するための形態の実施例を以下に示す。
【実施例１】
【００１９】
本発明の実施例１を図１及び図２により説明する。
【００２０】
１は、観察窓兼用ディスプレイボックスを示し、該ディスプレイボックス１は、例えば、トイレ２の壁２ａに埋め込んで設置される手洗い装置３に設けられる。
【００２１】
該手洗い装置３は、前記従来の手洗い装置ａと略同じであるが、ケースｂ内の手洗い器ｃやトイレットペーパーホルダーｄや配管設備部ｅなどの配置を工夫して、前記ディスプレイボックスを収納できる空間部を形成したものであって、例えば、ステンレス製の平箱状の手洗い装置ケース３ａと、該ケース３ａの前面板３ｂに開口した箇所の内側に設けた、ステンレス製の手洗い器４及びトイレットペーパーホルダー部５と、該ケース３ａ内に設けた、水道源（図示せず）から便器６や前記手洗い器４へ接続する管路やフラッシュバルブ等のバルブなどの配管設備部（図示せず）とよりなり、該手洗い装置３は、該装置３のケース３ａの厚みを前記トイレ２の壁２ａの厚みと略同じとし、前記トイレ２の壁２ａを貫通して設けられた貫通穴２ｂに挿入され、該ケース３ａの前面板３ｂは、前記トイレ２の内壁と同じ面となるように形成されると共に、該ケース３ｂの背面板３ｃは、前記トイレ２の壁２ａを隔てた通路や部屋７の壁面７ａと同じ面となるように形成されている。
【００２２】
なお、前記手洗い装置３が設置されるのは、精神病院、刑務所又は警察の留置場等の隔離された場所のトイレ個室内であり、このトイレ内壁面には安全と破壊防止のために水道管や排水管などの突出している部分がないように形成され、手洗い器やトイレットペーパーホルダー部の開口部の縁は全て手を切らないように丸みが設けられている。
【００２３】
前記ディスプレイボックス１は、中空の直方体状の収納ケース１ａよりなり、該収納ケース１ａの前面（トイレ側面）には、強化ガラスなどからなる観察窓８が形成され、該収納ケース１ａの背面には、開口部１ｂが形成され、該開口部１ｂには、該開口部１ｂを塞ぐ開閉扉９が設けられている。
【００２４】
また、前記収納ケース１ａは、例えば、前記手洗い装置ケース３ａの上方の右側に、該ケース３内に貫通して設けられ、該収納ケース１ａの前面（窓部８）は、前記手洗い装置ケース３ａの前面板３ｂと同じ面となるように形成されると共に、前記収納ケース１ａの背面（開閉扉９）は、前記手洗い装置ケース３ａの背面板３ｃと略同じ面となるように形成されている。なお、前記収納ケース１ａの背面（開閉扉９）は、必ずしも、前記ケース３ａの背面板３ｃと同じ面である必要はない。
【００２５】
なお、前記開閉扉９は、使用しない時などのために、前記トイレ２の壁２ａを隔てた通路や部屋７からトイレ２内が見えないように、不透明に形成され、前記開閉扉９を開けた時のみ、トイレ内を観察できるように形成されている。
【００２６】
また、前記開閉扉９には、鍵部１０が設けられている。なお、１１は、開閉操作用のレバーである。
【００２７】
また、前記手洗い装置ケース３ａの、例えば、下方のスペースには、前記手洗い器４やトイレットペーパーホルダー部５や配管設備部などが収納され、これら配管設備部等を、前記通路又は部屋７側から点検、操作ができるようにするために、前記手洗い装置ケース３ａの下部には、扉１２が設けられている。なお、１３は、その開閉操作用のレバーである。
【００２８】
また、１４は、トイレ室内の空調、調光、便器洗浄操作などのスイッチや、部屋内の温度や湿度等を表示する計器類であり、例えば、前記手洗い装置ケース３ａの上方の左側に配置されている。
【００２９】
なお、前記収納ケース１ａ内に、アクリル板などで形成した棚などの仕切壁（図示せず）を設けてもよい。
【００３０】
また、前記観察窓の大きさは、少なくとも、患者等のトイレ利用者の排便の有無や便器内の洗浄の有無等が分かるように、便器内の底が見える程度の大きさ、高さであることが好ましい。また、便器まわりの床面も見える大きさであることが好ましい。
【００３１】
また、前記観察窓８は、トイレ内からケース内の物が取り出されないように強固に収納ケース１ａに固定されている。
【００３２】
本発明の観察窓兼用ディスプレイボックスの使用方法及び効果について説明する。
【００３３】
ディスプレイボックスとして使用する場合には、前記トイレ２の壁２ａを隔てた通路又は部屋７から、前記開閉扉９を開錠して開け、前記収納ケース１ａ内に、精神病院等の患者等の私物や、時計、カレンダーを収納し、前記開閉扉９を閉じ、施錠する。
【００３４】
これにより、前記者等は、トイレ使用時に、該患者等の私物がきちんと保管されていることを知る事ができる。また、時計やカレンダーなど安全に隔離室内に設けることができるようになる。
【００３５】
また、観察窓として使用する場合には、前記開閉扉９を開錠して開けば、観察窓８を通じて、患者等の状態、排便の有無、便器の洗浄の有無、便器回りの床面などを、トイレ室に入ることなく、目視確認でき、更には、トイレ内を確認しながら、便器の洗浄操作、空調、調光等を操作できるようになる。なお、前記便器の洗浄操作により、便器洗浄ボタンや手洗器ボタンをオフにできるようにもなる。
【００３６】
そして、観察や収納以外は、開閉扉９を閉め、鍵を掛けることにより、患者等の私物の盗難や、トイレ室内を不用意に見られないようにできる。
【００３７】
また、本発明の観察窓兼用ディスプレイボックスは、従来の手洗い装置を利用して、設けることができるので、壁への設置作業や修理などの管理が容易になる。
【００３８】
なお、本発明の観察窓兼用ディスプレイボックスは、前記手洗い装置３内に設けることなく、トイレの壁の貫通孔に直接設けるようにしてもよい。
【産業上の利用可能性】
【００３９】
本発明の観察窓兼用ディスプレイボックスは、精神病院、刑務所又は警察の留置場等のトイレに利用される。
【符号の説明】
【００４０】
１      ディスプレイボックス
１ａ    収納ケース
１ｂ    開口部
２      トイレ
２ａ    壁
２ｂ    貫通穴
３      手洗い装置
３ａ    手洗い装置ケース
３ｂ    前面板
３ｃ    背面板
４      手洗い器
５      トイレットペーパーホルダー部
６      便器
７      部屋
７ａ    壁面
８      窓
９      開閉扉
１０    鍵部
１１    レバー
１２    扉部
１３    レバー
１４    スイッチや計器類
【図１】
0006577752.tif 000002
【図２】
0006577752.tif 000003
【図３】
0006577752.tif 000004